(57)【特許請求の範囲】
【請求項１】
回転する像保持体の表面と対向配置され、前記像保持体と対向する部位の移動方向が前記像保持体とは逆方向となるように回転する第１現像部材と、
前記第１現像部材に対して前記像保持体の回転方向の下流側に設けられ、前記像保持体の表面と対向配置されると共に、前記像保持体と対向する部位の移動方向が前記像保持体の移動方向とは同方向となるように回転する第２現像部材と、
前記第１現像部材と前記第２現像部材との間であって、前記第１現像部材と前記第２現像部材とが最も近づいた最近接部に対して前記第１現像部材の回転方向の下流側で前記最近接部に対して移動可能に支持されると共に、前記第１現像部材の表面と前記第２現像部材の表面との間にある現像剤と当って現像剤を前記第１現像部材と前記第２現像部材とに振り分ける振分部材と、
前記振分部材を前記第１現像部材の回転方向の上流側に付勢する付勢部材と、
を備える現像装置。
【請求項２】
前記付勢部材は、前記振分部材を前記最近接部に向って付勢する請求項１に記載の現像装置。
【請求項３】
前記振分部材は、前記第１現像部材の軸方向から見て、前記第１現像部材の回転軸と前記第２現像部材の回転軸とを結んだ直線に対して直交する直交方向に沿って前記振分部材を案内する案内部材に案内され、
前記付勢部材は、前記直交方向に沿って前記振分部材を付勢する弾性変形可能なバネ部材である請求項１又は２に記載の現像装置。
【請求項４】
請求項１〜３の何れか１項に記載された現像装置と、  
表面に形成された静電潜像が前記現像装置によってトナー画像として可視化される像保持体と、
を備え、本体に対して着脱可能に組み立てられる組立体。
【請求項５】
請求項４に記載の組立体と、
前記組立体に設けられる像保持体の表面に形成されたトナー画像を被転写物に転写する転写部材と、
を備える画像形成装置。
【請求項６】
請求項１〜３の何れか1項に記載された現像装置と、  
表面に形成された静電潜像が前記現像装置によってトナー画像として可視化される像保持体と、
前記像保持体の表面に形成されたトナー画像を被転写物に転写する転写部材と、
を備える画像形成装置。
【発明の詳細な説明】
【技術分野】
【０００１】
本発明は、現像装置、組立体、画像形成装置に関する。
【背景技術】
【０００２】
特許文献１に記載の現像装置には、現像ロールの表面に付着した現像剤の層厚を規制する規制ロールが設けられている。そして、この規制ロールは、現像ロールの法線方向に移動可能に支持されている。
【先行技術文献】
【特許文献】
【０００３】
【特許文献１】特開２００８−１４５７９８号公報
【発明の概要】
【発明が解決しようとする課題】
【０００４】
本発明の課題は、像保持体と対向する部位の移動方向が像保持体とは逆方向となるように回転する第１現像部材と、同方向となるように回転する第２現像部材とに付着させる現像剤の比率を適正な状態に保つことである。
【課題を解決するための手段】
【０００５】
本発明の請求項１に係る現像装置は、回転する像保持体の表面と対向配置され、前記像保持体と対向する部位の移動方向が前記像保持体とは逆方向となるように回転する第１現像部材と、前記第１現像部材に対して前記像保持体の回転方向の下流側に設けられ、前記像保持体の表面と対向配置されると共に、前記像保持体と対向する部位の移動方向が前記像保持体の移動方向とは同方向となるように回転する第２現像部材と、前記第１現像部材と前記第２現像部材との間であって、前記第１現像部材と前記第２現像部材とが最も近づいた最近接部に対して前記第１現像部材の回転方向の下流側で前記最近接部に対して移動可能に支持されると共に、前記第１現像部材の表面と第２現像部材の表面との間にある現像剤を前記第１現像部材と第２現像部材とに振り分ける振分部材と、前記振分部材を前記第１現像部材の回転方向の上流側に付勢する付勢部材と、を備えることを特徴とする。
【０００６】
本発明の請求項２に係る現像装置は、請求項１に記載において、前記付勢部材は、前記振分部材を前記最近接部に向って付勢することを特徴とする。
【０００７】
本発明の請求項３に係る現像装置は、請求項１又は２に記載において、前記振分部材は、前記第１現像部材の軸方向から見て、前記第１現像部材の回転軸と前記第２現像部材の回転軸とを結んだ直線に対して直交する直交方向に沿って前記振分部材を案内する案内部材に案内され、前記付勢部材は、前記直交方向に沿って前記振分部材を付勢する弾性変形可能なバネ部材であることを特徴とする。
【０００８】
本発明の請求項４に係る組立体は、請求項１〜３の何れか１項に記載された現像装置と、  表面に形成された静電潜像が前記現像装置によってトナー画像として可視化される像保持体と、を備え、本体に対して着脱可能に組み立てられることを特徴とする。
【０００９】
本発明の請求項５に係る画像形成装置は、請求項４に記載の組立体と、前記組立体に設けられる像保持体の表面に形成されたトナー画像を被転写物に転写する転写部材と、を備えることを特徴とする。
【００１０】
本発明の請求項６に係る画像形成装置は、請求項１〜３の何れか1項に記載された現像装置と、表面に形成された静電潜像が前記現像装置によってトナー画像として可視化される像保持体と、前記像保持体の表面に形成されたトナー画像を被転写物に転写する転写部材と、を備えることを特徴とする。
【発明の効果】
【００１１】
本発明の請求項１の現像装置によれば、振分部材が固定されている場合と比して、像保持体と対向する部位の移動方向が像保持体とは逆方向となるように回転する第１現像部材と、同方向となるように回転する第２現像部材とに付着させる現像剤の比率を適正な状態に保つことができる。
【００１２】
本発明の請求項２の現像装置によれば、付勢部材が振分部材を最近接部に向って付勢しない場合と比して、効果的に、第１現像部材と第２現像部材とに付着させる現像剤の比率を適正な状態に保つことができる。
【００１３】
本発明の請求項３の現像装置によれば、案内部材が振分部材を第１現像部材の回転軸と第２現像部材の回転軸とを結んだ直線に対して直交する直交方向に沿って案内しない場合と比して、効果的に、第１現像部材と第２現像部材とに付着させる現像剤の比率を適正な状態に保つことができる。
【００１４】
本発明の請求項４の組立体によれば、請求項１〜３の何れか１項に記載された現像装置を備えない場合と比して、像保持体の表面に形成された静電潜像を、むらを抑制して現像することができる。  本発明の請求項５の画像形成装置によれば、請求項４に記載の組立体を備えない場合と比して、出力画像の濃度むらを抑制することができる。
【００１５】
本発明の請求項６の画像形成装置によれば、請求項１〜３の何れか１項に記載された現像装置を備えない場合と比して、出力画像の濃度むらを抑制することができる。
【図面の簡単な説明】
【００１６】
【図１】本発明の第１実施形態に係る現像装置の現像ロール及び振分部材等を示した側面図である。
【図２】本発明の第１実施形態に係る現像装置を示した側面図である。
【図３】本発明の第１実施形態に係る現像装置に用いられた振分部材等を示した斜視図である。
【図４】（Ａ）（Ｂ）本発明の第１実施形態に係る現像装置に用いられた振分部材を示した側面図である。
【図５】本発明の第１実施形態に係る画像形成装置、組立体等を示した概略構成図である。
【図６】本発明の第２実施形態に係る現像装置に用いられた振分部材等を示した斜視図である。
【図７】本発明の第３実施形態に係る現像装置に用いられた振分部材等を示した斜視図である。
【発明を実施するための形態】
【００１７】
本発明の第１実施形態に係る現像装置、組立体及び画像形成装置の一例を図１〜図５に従って説明する。なお図中に示す矢印ＵＰは鉛直方向上方を示す。
【００１８】
（全体構成）
図５に示されるように、画像形成装置１０は、一様に帯電された後、レーザー光を照射することにより表面に静電潜像が形成される像保持体１２と、像保持体１２の表面を一様に帯電させる帯電装置１４と、画像データに基づいて像保持体１２にレーザー光を照射して静電潜像を形成する露光装置１６と、この静電潜像にトナーを選択的に転移してトナー画像として可視化する現像装置１８と、搬送経路２０に沿って供給される記録媒体としてのシート部材Ｐに像保持体１２の表面のトナー画像を転写する転写ロール２２と、シート部材Ｐ上のトナー画像を加熱・加圧してシート部材Ｐに定着させる定着装置２４と、トナー画像が転写された後の像保持体１２に残留するトナーを清掃するクリーニング装置２６とを備えている。なお、現像装置１８については、詳細を後述する。
【００１９】
また、画像形成装置１０は、本体側面カバー１０Ｂ及び天板１０Ａで覆われている。そして、本体側面カバー１０Ｂの上端角部分には、天板１０Ａを回転可能に本体側面カバー１０Ｂに連結する軸１０Ｃが設けられており、天板１０Ａを、軸１０Ｃを中心とて矢印Ａ方向に回転させることで、画像形成装置１０の内部が開放されるようになっている。
【００２０】
ここで、帯電装置１４とクリーニング装置２６とは一つの帯電ユニット２８として構成され、現像装置１８と像保持体１２とは組立体としての交換カートリッジ３０とされている。そして、画像形成装置１０の天板１０Ａを開放することで、帯電ユニット２８及び交換カートリッジ３０は、夫々画像形成装置１０内部の本体フレーム（図示せず）に対して着脱可能となっている。
【００２１】
また、この画像形成装置１０の側方には、像保持体１２と転写ロール２２とで形成される画像形成部３１に、シート部材Ｐを手差しで供給することができる手差給紙台３２を備えており、この手差給紙台３２には、半月形状の送出ロール３４が設けられている。さらに、送出ロール３４に対してシート部材Ｐを挟んで分離ロール３６が設けられている。
【００２２】
この分離ロール３６は、両端部に設けられた図示せぬ支持部材に軸支され、さらに、支持部材の内部に設けられたコイルスプリングの付勢力で、送出ロール３４に向って付勢されている。この構成により、送出ロール３４が回転すると手差給紙台３２に載せられたシート部材Ｐが送出ロール３４と分離ロール３６とによって一枚ずつ、画像形成部３１に送られるようになっている。
【００２３】
また、この画像形成装置１０内の下側には、シート部材Ｐを一枚ずつ給紙する給紙装置４０が設けられている。給紙装置４０は、シート部材Ｐが複数枚積載された給紙部材４１を備えており、給紙部材４１に積載されたシート部材Ｐは、取出ロール４２によって順次取り出され、さらに、回転駆動する給紙ロール４４と給紙部材４１に設けられた分離ロール４６とによって、一枚ずつ搬送される構成となっている。
【００２４】
さらに、シート部材Ｐの搬送経路２０に沿って複数個の搬送ロール４８が設けられており、シート部材Ｐが搬送経路２０に沿ってシート部材Ｐの搬送方向の下流側（以下単に下流側）へ搬送されるようになっている。
【００２５】
また、画像形成部３１の下流側には、前述した定着装置２４が設けられており、定着装置２４は、加熱ロール２４Ｈと加圧ロール２４Ｎとを備えている。そして、加熱ロール２４Ｈと加圧ロール２４Ｎとの間をシート部材Ｐが通過することで、シート部材Ｐ上のトナー画像がシート部材Ｐに定着させるようになっている。
【００２６】
さらに、定着装置２４の下流側には、トナー画像が定着されたシート部材Ｐを天板１０Ａの上面に排出する排出ロール３８が設けられている。
【００２７】
上記構成による画像形成装置１０では、次のようにして画像が形成される。
【００２８】
まず、電圧が印加された帯電装置１４は、像保持体１２の表面を予定の電位で一様にマイナス帯電する。続いて、図示しないスキャナによって読み取られた画像データ又は外部から入力されたデータに基づいて露光装置１６が帯電された像保持体１２の表面を露光し、像保持体１２の表面に静電潜像を形成する。
【００２９】
つまり、図示しない制御装置から供給される画像データに基づき、露光装置１６のレーザーをオン・オフすることによって画像データに対応した静電潜像が像保持体１２上に形成される。さらに、この静電潜像は、電圧を印加された現像部材をもつ現像装置１８によってトナー画像として可視化される。
【００３０】
そこで、給紙部材４１から取出ロール４２によって取り出されたシート部材Ｐが、給紙ロール４４と分離ロール４６とによって一枚ずつ搬送ロール４８に渡されて搬送経路２０に送り出される。搬送経路２０に送り出されたシート部材Ｐは、現像像を保持した像保持体１２と転写ロール２２との間に形成された転写部３１を通り、トナー画像がシート部材Ｐに転写される。この転写されたトナー画像は、定着装置２４に備えられた加熱ロール２４Ｈと加圧ロール２４Ｎとの間を通過することでシート部材Ｐに定着され，排出ロール３８によって天板１０Ａの上面に排出される。
【００３１】
（要部構成）
次に、現像装置１８の構成について説明する。
【００３２】
図２に示されるように、現像装置１８は、像保持体１２に対向する位置に開口部５０Ａを有する筐体５０を備えている。筐体５０の内部には、像保持体１２の表面（外周面）と対向配置され、矢印Ｂ方向に回転する像保持体１２と同方向に回転し且つ像保持体１２と対向する部位ＧＰ１での移動方向が像保持体１２の移動方向とは逆方向（矢印Ｃ方向）であり、表面（外周面）で現像剤Ｇを保持する第１現像部材の一例としての第１現像ロール５２が収容されている。
【００３３】
また、筐体５０の内部には、第１現像ロール５２の下方で像保持体１２の表面と対向配置され、像保持体１２と逆方向に回転し且つ像保持体１２と対向する部位ＧＰ２での移動方向が像保持体１２の移動方向とは同方向（矢印Ｄ方向）であり、現像剤Ｇを表面（外周面）で保持する第２現像部材の一例としての第２現像ロール５６が収容されている。
【００３４】
さらに、筐体５０内部の下部に設けられた現像剤Ｇを収容する収容室５０Ｂには、水平方向に並んで配置され、第１現像ロール５２へ現像剤Ｇを搬送する第１攪拌搬送オーガ５８及び第２攪拌搬送オーガ６０が設けられている。
【００３５】
第１攪拌搬送オーガ５８、第２攪拌搬送オーガ６０は、第２現像ロール５６の下方側（図示の右下方側）で現像剤Ｇを循環搬送するように並べて配置されており、第１攪拌搬送オーガ５８、第２攪拌搬送オーガ６０が回転することにより、現像剤Ｇが攪拌されながら第２現像ロール５６の回転軸方向に沿って搬送され、第２現像ロール５６へ現像剤Ｇが供給されるようになっている。なお、現像装置１８で用いられる現像剤Ｇは、樹脂製のトナーと磁性キャリア粒子とからなっている。
【００３６】
また、第２現像ロールの上方に配置される第１現像ロール５２は、回転軸方向が像保持体１２の回転軸方向に沿うように像保持体１２の表面と対向配置されており、像保持体１２と対向する部位ＧＰ１での移動方向が像保持体１２とは逆方向となる筒状の第１現像スリーブ５２Ａと、第１現像スリーブ５２Ａの内側に配置され第１現像スリーブ５２Ａの外側に周方向に分布する磁界を形成する円柱状の第１マグネットロール５２Ｂとを有している。これにより、第１現像ロール５２は、像保持体１２と対向する部位ＧＰ１において、像保持体１２の潜像を現像剤Ｇで現像するようになっている。
【００３７】
これに対して、第２現像ロール５６は、回転軸方向が像保持体１２の回転軸方向に沿うように、像保持体１２の回転方向で第１現像ロール５２よりも像保持体１２の回転方向の下流側において像保持体１２の表面と対向配置されており、像保持体１２と対向する部位ＧＰ２での移動方向が像保持体１２とは同方向（矢印Ｄ方向）となる筒状の第２現像スリーブ５６Ａと、第２現像スリーブ５６Ａの内側に配置され第２現像スリーブ５６Ａの外側に周方向に分布する磁界を形成する円柱状の第２マグネットロール５６Ｂとを有している。これにより、第２現像ロール５６は、像保持体１２と対向する部位ＧＰ２において、像保持体１２の潜像を現像剤Ｇで現像するようになっている。
【００３８】
さらに、第１現像ロール５２と第２現像ロール５６とは、第１現像スリーブ５２Ａ外周と第２現像スリーブ５６Ａ外周との間に間隙が形成されるように対向配置されており、第１現像スリーブ５２Ａと第２現像スリーブ５６Ａとの間（最小間隔の部分）には、最近接部５４が形成されている。
【００３９】
また、最近接部５４よりも第２現像ロール５６の回転方向の上流側には、第２現像ロール５６の表面と対向配置され、第２現像ロール５６に保持される現像剤Ｇの層の高さを整えるための層形成部材６２が設けられている。この層形成部材６２は、第２現像ロール５６の外周の法線方向に沿った断面形状が矩形状の板材であり、矩形状の断面の一方の側面が第１現像ロール５２の表面と対向配置され、他方の側面が筐体５０内に設けられた案内板６４に固定されている。
【００４０】
この案内板６４は、先端部が第１現像ロール５２と対向して配置され、他端部は第１攪拌搬送オーガ５８に向けて下方に延びている。そして、案内板６４は、第１現像ロール５２から脱落した現像剤Ｇを収容室５０Ｂへ向けて落下させるように構成されている。つまり、第１現像ロール５２から脱落した現像剤Ｇは、第２現像ロール５６に直接付着することなく収容室５０Ｂへ向けて落下するようになっている。
【００４１】
一方、図１に示されるように、第２マグネットロール５６Ｂの内部には、第２現像スリーブ５６Ａの周方向に沿って表面側にＳ極又はＮ極が形成される５本の永久磁石が放射状に設けられている。そして、現像極であるＳ１極は、像保持体１２に対向する位置に配置されている。また、第２現像スリーブ５６Ａの回転方向Ｄに沿って現像極Ｓ１の隣に搬送を行う極Ｎ１が配置され、その隣りに現像剤のピックオフを行う極Ｓ２、ピックアップを行う極Ｓ３、搬送を行う極Ｎ２の順で磁極が配置されている。
【００４２】
これに対し、第１マグネットロール５２Ｂの内部にも、第１現像スリーブ５２Ａの周方向に沿って表面側にＳ極又はＮ極が形成される５本の永久磁石が放射状に設けられている。そして、現像極であるＮ３極は、像保持体１２に対向する位置に配置されている。また、第１現像スリーブ５２Ａの回転方向Ｃに沿って現像極Ｎ３の隣に搬送を行う極Ｓ４、ピックオフを行う極Ｎ４が配置され、その隣りにピックオフを行う極と同極のＮ５が配置されている。そして、Ｎ５の隣りには、第２マグネットロール５６Ｂに備えられた極Ｎ２と対向する極Ｓ６が配置されている。
【００４３】
一方、最近接部５４よりも第１現像ロール５２の回転方向の下流側には、現像剤Ｇを第１現像ロール５２と第２現像ロール５６とに振り分ける振分部材６８が第１現像ロール５２と第２現像ロール５６の長手方向に沿って設けられている。
【００４４】
図３に示されるように、振分部材６８は、断面が半円形状とされ、その曲面７０Ｃが現像剤Ｇ（図１参照）と当って現像剤Ｇを振り分ける振分部７０と、振分部７０を支持する角柱状の支持部７２と、を含んで構成されている。半円部は第１現像部材と第２現像部材の軸を結んだ直線と直角で、第１現像部材表面と第２現像部材表面の最近接部を通る直線状を移動可能にするため、支持部７２は、振分部７０の長手方向両端面から突出して設けられ、筐体５０（図２参照）に固定された案内部材７６によって移動可能に支持されている。
【００４５】
詳細には、図１、図３に示されるように、案内部材７６は、直方体とされ、第１現像ロール５２の回転軸５２Ｃの軸方向から見て、第１現像ロール５２の回転軸５２Ｃと第２現像ロール５６の回転軸５６Ｃとを結んだ直線に対して直交する直交方向（矢印Ｆ方向：以下単に直交方向と言う）に延びて設けられている。さらに、案内部材７６には、直交方向に延びる案内孔７６Ａが設けられ、この案内孔７６Ａに振分部材６８の支持部７２が挿入されている。また、支持部７２の先端７２Ａは、案内孔７６Ａから突出しており、その突出した先端７２Ａには、振分部材６８を最近接部５４に向って付勢する弾性変形可能なコイル状のバネ部材８０の一端が固定されている。
【００４６】
この構成により、振分部材６８は、案内部材７６によって直交方向に移動可能に支持され、バネ部材８０によって最近接部５４に向って付勢されるようになっている。
【００４７】
（作用）
次ぎに、現像装置１８における現像剤Ｇの搬送状態について説明する。
【００４８】
図１、図２に示されるように、現像装置１８において、現像剤Ｇは、第１攪拌搬送オーガ５８及び第２攪拌搬送オーガ６０により第２現像ロール５６へ供給される。第２現像ロール５６に供給された現像剤Ｇは、ピックアップ兼トリミングを行う極Ｓ３によって第２現像スリーブ５６Ａの表面に吸着され振分部材６８によって第１現像ロール５２と第２現像ロール５６に振り分けられた現像剤Ｇのうち第１現像ロールに振り分けられた現像剤は、第１現像スリーブ５２Ａが回転方向Ｃに沿って回転するのに伴い、第１現像スリーブ５２Ａの表面に沿って搬送される。そして、現像極Ｎ３近傍において磁気ブラシ上のトナーが像保持体１２に現像される。また、ピックオフを行う極Ｎ４近傍では、現像剤Ｇが第１像スリーブ５２Ａの表面から落下して案内板６４に案内され、収容室５０Ｂへ戻される。
【００４９】
第２現像スリーブ５６Ａの表面に保持された現像剤Ｇは、第２現像スリーブ５６Ａが回転方向Ｄに沿って回転するのに伴い、第２現像スリーブ５６Ａの表面に沿って、搬送を行う極Ｎ２、現像極Ｓ１，搬送を行う極Ｎ１、ピックオフを行う極Ｓ２へこの順で搬送される。そして、現像極Ｓ１近傍において磁気ブラシ上のトナーが像保持体１２に現像されて、像保持体１２に形成された静電潜像が可視化される。第２現像ロール５６は像保持体１２と対向する部位ＧＰ２で像保持体１２に対して同方向に移動し、第１の現像スリーブによって現像した画像を修正し高画質な出力画像が得られる。また、ピックオフを行う極Ｓ２近傍では、現像剤Ｇが第２現像スリーブ５６Ａの表面から落下して収容室５０Ｂへ戻される。
【００５０】
ここで、前述したように、振分部材６８は、直交方向に移動可能に支持され、バネ部材８０によって最近接部５４に向けて付勢されている。このため、振分部材６８が現像剤Ｇに押されて現像剤Ｇを第１現像ロール５２と第２現像ロール５６とに振り分けられるときには、振分部は軽く付勢されて、最近接部５４と振分部７０の曲面７０Ｃと第２現像ロール５６の表面との間に形成される隙間ＧＰ３と曲面７０Ｃと第１現像ロール５２の表面との間に形成される隙間ＧＰ４とで囲まれた領域の現像剤の圧力が等しくなる。
【００５１】
以上説明したように、最近接部５４と隙間ＧＰ３と隙間ＧＰ４とで囲まれる領域の現像剤Ｇの圧力を等しくすることで、第１現像ロール５２と、第２現像ロール５６とに付着させる現像剤Ｇの比率が適正な状態に保たれる。（例えば、第１現像ロール５２と第２現像ロール５６とで周速度が同じ場合には、均等に現像剤Ｇが第１現像ロール５２と第２現像ロール５６とに配分される）。
【００５２】
また、第１現像ロール５２と第２現像ロール５６とに付着する現像剤Ｇの比率が適正な状態に保たれることで、第１現像ロール５２と第２現像ロール５６とに付着する現像剤Ｇの単位面積当りの搬送量の比率が常に適正に制御される。
【００５３】
また、第１現像ロール５２と第２現像ロール５６とに付着する単位面積あたり  の現像剤搬送量の比率が常に適正に制御されるため、像保持体１２の表面に形成された静電潜像がむら無く現像される。
【００５４】
また、像保持体１２の表面に形成された静電潜像がむら無く現像されることで、出力画像の濃度むらが抑制される。
【００５５】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、振分部７０を付勢するのにバネ部材８０を用いたが、特にバネ部材８０に限定されることなく、弾性変形する弾性部材で振分部７０を付勢すればよい。
【００５６】
次ぎに、本発明の第２実施形態に係る現像装置、画像形成装置の一例について図６に従って説明する。なお、第１実施形態と同一部材については、同一符号を付してその説明を省略する。
【００５７】
図６に示されるように、本第２実施形態の振分部材８８は、断面が三角形状とされて頂点９０Ｃが現像剤Ｇと当って現像剤Ｇを振り分ける振分部９０と、振分部９０を支持する支持部９２と、を含んで構成されている。支持部９２は、振分部９０の長手方向両端面から突出して設けられ、筐体に固定された案内部材７６によって移動可能に支持されている。このように、頂点９０で現像剤Ｇを振り分けることで、効率よく現像剤Ｇが振り分けられる。
【００５８】
次ぎに、本発明の第３実施形態に係る現像装置、組立体、画像形成装置の一例について図７に従って説明する。なお、第１実施形態と同一部材については、同一符号を付してその説明を省略する。
【００５９】
図７に示されるように、本第３実施形態の振分部材９４は、断面が台形状とされてその頂面９６Ｃが現像剤Ｇと当って現像剤Ｇを振り分ける振分部９６と、振分部９６を支持する支持部９８と、を含んで構成されている。支持部９８は、振分部９６の長手方向両端面から突出して設けられ、筐体に固定された案内部材７６によって移動可能に支持されている。このように、振分部９６の断面を台形形状とすることで、振分部９６の剛性が向上する。
【００６０】
なお、本発明を特定の実施形態について詳細に説明したが、本発明はかかる実施形態に限定されるものではなく、本発明の範囲内にて他の種々の実施形態が可能であることは当業者にとって明らかである。例えば、また、上記実施形態では、振分部９６の断面を台形形状としたが、特に台形に限定されることはなく、他の形状であってもよい。
【符号の説明】
【００６１】
１０          画像形成装置
１２          像保持体
１８          現像装置
２２          転写ロール（転写部材）
３０          交換カートリッジ（組立体）
５２          第１現像ロール（第１現像部材）
５４          最近接部
５６          第２現像ロール（第２現像部材）
６８          振分部材
７６          案内部材
８０          バネ部材（付勢部材）
８８          振分部材
９４          振分部材
【図１】
0005458988.tif 000002
【図２】
0005458988.tif 000003
【図３】
0005458988.tif 000004
【図４】
0005458988.tif 000005
【図５】
0005458988.tif 000006
【図６】
0005458988.tif 000007
【図７】
0005458988.tif 000008